(57)【要約】      （修正有）【課題】スロットロッドのリサイクル性をよくするために、トレーサマークを簡単、容易に除去できるように、その表示を工夫すること。【解決手段】スロットロッド１のスロット２に光ファイバテープ心線１１を集合し、押え巻き１２し、外皮１３で被覆した光ファイバケーブルにおいて、溝識別マークを表示した溝識別リボン（溝識別ひも５）を、光ファイバテープ心線１１を集合させたスロットロッドのスロット２に、当該スロット内の光ファイバテープ心線１１上に重ねて内装している光ファイバケーブル。【選択図】図３
2005121677.tif 000002
【特許請求の範囲】
【請求項１】
スロットロッドのスロットに光ファイバテープ心線を集合し、押え巻きし、外皮で被覆した光ファイバケーブルにおいて、
溝識別マークを表示した溝識別リボンを、光ファイバテープ心線を集合させたスロットロッドのスロットに、当該スロット内の光ファイバテープ心線上に重ねて内装している光ファイバケーブル。
【請求項２】
上記溝識別リボンが着色された線状リボンである、請求項１の光ファイバケーブル。
【請求項３】
上記溝識別リボンがテープリボンであり、その表面に表示線が印刷されている、請求項１の光ファイバケーブル。
【請求項４】
スロットロッドに光ファイバテープ心線を集合し、スロット内の光ファイバテープ心線の上に重ねた状態で溝識別リボンをスロットに装填し、その直後に押え巻きし、外皮を被覆する、光ファイバケーブルの製造方法。
【発明の詳細な説明】
【技術分野】
【０００１】
この発明は、スロットロッド型光ファイバケーブルに関するものであり、スロットロッドのリサイクル性をよくするものである。
【背景技術】
【０００２】
スロットロッド型光ファイバケーブルは、合成樹脂製のスロットロッドのヘリカル状（通常はＳＺ型）のスロットに多数の光ファイバテープ心線又は光ファイバ心線（以下光ファイバともいう）をそれぞれ嵌め込み（集合し）、その上から押え巻きして光ファイバテープ心線を固定し、その上からケーブル外皮で被覆したものである。
そして、光ファイバの接続作業などの便宜のために多数のスロットの各々を特定できるように、スロットロッドのリブの外周面に表示が成されており、その１例が特開２００２−３４１２０２号公報に記載されている。
このものは、図１に示すようなものであり、スロットロッド１の押し出し成形工程において、一つのスロット２を挟んだ左右のリブ３，３の外周面３ａに線状のトレーサマークをして、これを一番スロットとしている。また、上記スロット２の左側のリブ３のトレーサマークを一本の線状表示４ａとし、右側のリブのトレーサマークを二本の線状表示４ｂとし、二本の線状表示４ｂの隣のスロットを２番スロットとし、さらにその隣のスロットを順次、第３番スロット、第４番スロットとしている。
スロットロッド１は押し出し成形されるものであり、この押し出し成形時に着色された溶融樹脂をそのリブの外周面３ａに塗布（付着）して上記の着色表示を形成している。このように、押し出し成形時にトレーサマークが付されたスロットロッドのスロット２に光ファイバテープ心線１１が集合され、押え巻き１２で押えられ、外皮（シース）１３で被覆される。（図２参照）
上記従来例の他に様々な方法でトレーサマークが成されるが、いずれの場合も、スロットロッド成形時に着色溶融樹脂を上記リブの外周面に塗布（付着）することによって表示される。
【０００３】
ところで、スロットロッドを溶融させて再使用するとき、スロットロッドはその素材がポリエチレン（ＰＥ）であって白色であり、トレーサマークの着色樹脂は通常は黒色である。そして、このトレーサマークの黒色材料は分離ができないために再溶融された樹脂には着色樹脂が混入して灰色になり、したがって、リサイクルには適しないものになる。このことを回避するには、着色した部分を予め除去する他はないが、しかし、押し出し成形時に着色樹脂を塗布（溶融付着）したトレーサマーク部分を除去することは容易なことではなく、リサイクルのために着色部分を除去することはコストの面から極めて問題である。
【特許文献１】特開２００２−３４１２０２号公報
【発明の開示】
【発明が解決しようとする課題】
【０００４】
この発明は、スロットロッドのリサイクル性をよくするために、トレーサマークを簡単、容易に除去できるように、その表示を工夫することをその課題とするものである。
【課題を解決するための手段】
【０００５】
上記課題解決のために講じた手段は、スロットロッドのスロットに光ファイバテープ心線を集合し、押え巻きし、外皮で被覆した光ファイバケーブルについて、溝識別マークを表示した溝識別リボンを、光ファイバテープ心線を集合させたスロットロッドのスロットに、当該スロット内の光ファイバテープ心線上に重ねて内装していることである。
【０００６】
〔作用〕
溝識別マークを表示した溝識別リボンが、光ファイバテープ心線を集合させたスロットロッドのスロットに、当該スロット内の光ファイバテープ心線上に重ねて装填されているので、溝識別リボンの溝識別マークによって容易にスロット番号を識別することができる。
なお、上記の溝識別マークは、特に印刷されているマークを意味するものではなく、溝識別リボンの色、幅、表示などによって識別できる識別情報を意味する。
そして、溝識別リボンはスロット内に集合された光ファイバテープ心線に重ねられているに過ぎないので、簡単、容易に除去されるので、この溝識別リボンの存在がスロットロッドのリサイクル性の阻害原因になることはない。
他方、識別リボンはスロットロッドに密着、固着等で固定されているものではないが、光ファイバをスロットに集合させる工程において、スロット内の光ファイバ上に重ねて装填し、その直後に押え巻きテープでカバーし、外皮で被覆することで、所定のスロットに所定の溝識別リボンを確実に保持させることができる。
〔実施態様１〕
【０００７】
実施態様１は、上記溝識別リボンが着色された線状リボンである。
〔作用〕
識別リボンの着色を複数の色にし、例えば赤、青、緑を、１，２，３の番号にそれぞれ対応させれば、その色の種類によって、スロットの溝番号が識別される。
〔実施態様２〕
【０００８】
実施態様２は、上記溝識別リボンがテープリボンで、その表面に表示線が印刷されているものである。
〔作用〕
【０００９】
テープ状の識別リボンの表示線の数又は種類（例えば線の幅、直線、波線、破線などの線の形状等）を複数にすれば、それによってスロットの溝番号が識別される。
【発明の効果】
【００１０】
この発明の識別リボンによるトレーサマークは、着色溶融樹脂の塗布（付着）によるものではなく、単にスロットに装填された識別リボン自体による識別マークによるものであり、この識別リボンはスロットロッドから簡単に除去されるから、光ケーブルの再資源化工程における再資源化処理を効率的に行うことができる。
【発明を実施するための最良の形態】
【００１１】
次いで、図面を参照つつ実施例を説明する。
〔実施例１〕
図３に示す実施例は、溝識別リボンを断面円形の細いひもで構成したものであり、この溝識別ひも５は、直径２ｍｍの赤、緑又は青に着色したポリエチレン製のものであり、その抗張力は約８００ｇｆである。この溝識別ひも５をスロット２に集合した光ファイバテープ心線１１の上に重ねた状態で、スロット２に装填する。
この実施例１は、スロット２に装填するひもの数によってスロット番号を表示するものであり、一種類のひもを用意すればよいから、溝識別ひもの管理が容易である。しかし、数によらないで、例えば、ひもを１本とし、赤、緑、青の着色によってトレーサマークを表示するようにしてもよく、また、ひもの断面形状については楕円形、四角形でもよい。
〔実施例２〕
【００１２】
図４に示す実施例２は、溝識別リボンをテープリボン６にしたものであり、このテープリボン６は、厚さ８０μｍ、幅２ｍｍのポリエチレン製の白色テープである。そして、その表面に１本の長手方向の黒色線を印刷したテープリボン６ａ、２本の黒色線を印刷したテープリボン６ｂを用意し、第１番目のスロットにテープリボン６ａを、また第２番目のスロットにテープリボン６ｂをそれぞれ装填して、これによってスロット番号を表示する。
テープリボン６については、これを例えば赤又は青に着色して、この色分けによってスロット番号を表示するようにすることもできる。
また、テープリボン６に横方向の一本、二本、三本の表示線を印刷して、その本数によって溝番号を表示することもできる。
【図面の簡単な説明】
【００１３】
【図１】トレーサマークが形成された従来のスロットロッドの斜視図である。
【図２】外皮（シース）、押え巻きを一部除去した従来のスロットロッドの斜視図である。
【図３】実施例１の一部拡大断面図である。
【図４】（ａ）は実施例２の一部拡大断面図であり、（ｂ）はテープリボンの一部拡大平面図である。
【符号の説明】
【００１４】
１・・・スロットロッド
２・・・スロット
３・・・リブ
３ａ・・・リブの外周面
４ａ・・・一本の線状表示
４ｂ・・・二本の線状表示
５・・・溝識別ひも
６・・・テープリボン
６ａ・・・１本の黒色線を印刷したテープリボン
６ｂ・・・２本の黒色線を印刷したテープリボン
１１・・・光ファイバテープ心線
１２・・・押え巻き
１３・・・外皮（シース）
【図１】
2005121677.tif 000003
【図２】
2005121677.tif 000004
【図３】
2005121677.tif 000005
【図４】
2005121677.tif 000006